(57)【要約】【課題】軟水を使用して噴霧ノズルに目詰まりを発生させないようにする。【解決手段】室外機１３ａ〜１３ｂの熱交換器面に沿って、水噴霧装置１４ａ〜１４ｃを設け、水噴霧装置１４ａ〜１４ｃには熱交換器に向けて軟水を噴霧する複数のノズル１５ａ〜１５ｃを設ける。水噴霧装置１４ａ〜１４ｃには、軟水供給管路１６ａ〜１６ｃから噴霧用の軟水を供給し、軟水供給管路１６ａ〜１６ｃは、共通軟水供給管路１７に接続された後、温度センサ１８で開閉制御される電磁弁１９を介して軟水生成器２０に接続される。軟水生成器２０は必要に応じて加圧ポンプ２１を介して上水道管路に接続される。【選択図】  図２
2004317064.tif 000002
【特許請求の範囲】
【請求項１】
建物の屋上に設置された冷房用の室外機と、
この室外機の熱交換器への直射日光を遮る遮光部材と、
前記室外機の熱交換器面に沿って配設され、熱交換器に軟水を噴霧する噴霧装置と、
この噴霧装置に軟水を、供給管路を介して供給する軟水生成器と、
前記供給管路中に介挿され、建物の外気温度が一定以上に達したときに開放されて、軟水生成器で生成された軟水を通過させ、外気温度が一定値以下に達したときに閉成されて、軟水の通過を遮断する開閉制御弁とを備えてなることを特徴とする冷房システム。
【発明の詳細な説明】
【０００１】
【発明の属する技術分野】
この発明は、特に夏季における冷房効率を高めた冷房システムに関するものである。
【０００２】
【従来の技術】
空冷冷房システム（エアコン）は、周知のように室内に設置された室内機と、室内で吸熱した熱を、室外に放熱する室外機とで構成され、両者を冷媒配管で接続して熱を運搬する手段に採用している。
【０００３】
このため、建物の外気温度が上昇したり、室外機の熱交換器に直射日光が照射されると、熱交換器からの放熱特性が低下し、電力消費量が悪化して、最悪の場合には、エアコンの運転停止を招くことになる。
【０００４】
近年、夏季の温度上昇が著しくなって、夏季におけるエアコンの冷房効率の低下や運転停止する現象が多く見られるようになってきた。これは、オフィスビルなどの建物の屋上に室外機が設置されるために、室外機の熱交換器が夏季の外気温度上昇によって、上述のように熱交換器からの放熱特性が低下するためである。
【０００５】
その対策として、上記室外機の熱交換器に、水を噴霧あるいは散水させて、室外機の熱交換器を冷却させることによって、熱交換器の放熱特性を改善させるようにした手段がある。
【０００６】
【特許文献１】
特開２０００−２７４８４３号公報
【０００７】
【発明が解決しようとする課題】
従来の対策装置としては、室外機の熱交換器に水を噴霧あるいは散水させるために、水に含有されているカルシウムイオンなどの影響で、噴霧あるいは散水するノズルに目詰まりが発生し、十分に水が室外機の熱交換器に噴霧あるいは散水されなくなる。このため、熱交換器の放熱特性が低下し、これにより、冷房効率の低下を招く虞がある。
【０００８】
また、室外機の熱交換器に水を噴霧あるいは散水したりするため、熱交換器、特にフインに水内のスケール成分が付着し、このスケール成分の除去作業が必要になる。室外機は、通常ビルなどの屋上に設置されるために、上記ノズルの目詰まりやスケール成分除去のために、その都度、屋上に登らなければならない作業上の煩わしもある。
【０００９】
この発明は、上記の事情に鑑みてなされたもので、水噴霧用のノズルに目詰まりを発生させないようにするとともに、作業の簡素化を図った冷房システムを提供することを目的とする。
【００１０】
【課題を解決するための手段】
この発明は、上記の課題を達成するために、建物の屋上に設置された冷房用の室外機と、この室外機の熱交換器への直射日光を遮る遮光部材と、前記室外機の熱交換器面に沿って配設され、熱交換器に軟水を噴霧する噴霧装置と、この噴霧装置に軟水を、供給管路を介して供給する軟水生成器と、前記供給管路中に介挿され、建物の外気温度が一定以上に達したときに開放されて、軟水生成器で生成された軟水を通過させ、外気温度が一定値以下に達したときに閉成されて、軟水の通過を遮断する開閉制御弁とを備えたことを特徴とするものである。
【００１１】
【発明の実施の形態】
以下この発明の実施の形態を図面に基づいて説明する。図１はこの発明の実施の形態を示す概念構成図、図２は実施の形態のシステム構成図である。
【００１２】
図１において、ビルなどの建物１１には、空冷冷房システム（エアコン）が設置されている。そして、そのエアコンには、建物１１内に室内機１２ａ，１２ｂ，１２ｃが設置され、屋上には、空冷室外機（以下室外機と称す）１３ａ〜１３ｃ（室外機は室内機に対応して設けられる）が、冷媒配管１０を介して設置されている。
【００１３】
室外機１３ａ〜１３ｃは、図２に示すように、室外機１３ａ〜１３ｂの熱交換器面に沿って、水噴霧装置１４ａ〜１４ｃが設けられる。水噴霧装置１４ａ〜１４ｃには熱交換器に向けて水（この水は後述の軟水を使用する）を噴霧する複数のノズル１５ａ〜１５ｃが形成されている。
【００１４】
水噴霧装置１４ａ〜１４ｃには、軟水供給管路１６ａ〜１６ｃから噴霧用の軟水が供給される。軟水供給管路１６ａ〜１６ｃは、共通軟水供給管路１７に接続された後、温度センサ１８で開閉制御される電磁弁１９を介して軟水生成器２０に接続される。軟水生成器２０は必要に応じて加圧ポンプ２１を介して上水道管路に接続される。
【００１５】
前記室外機１３ａ〜１３ｃの間には、室外機の熱交換器にできるだけ直射日光が照射されないように、遮光ネット部材２２ａ〜２２ｃを設けて、熱交換器の放熱特性を改善している。この遮光ネット部材２２ａ〜２２ｃは、図示しない手段で支持固定される。
【００１６】
上記のように構成された実施の形態において、例えば、建物１１の外気温度が、３０℃以上の高温になると、室外機１３ａ〜１３ｃの熱交換器の放熱特性が低下し、冷房効率も悪くなる。
【００１７】
すると、温度センサ１８が外気温度に反応して電磁弁１９を動作させる信号を送出する。電磁弁１９が動作すると、軟水生成器２０からの軟水が、電磁弁１９から共通軟水供給管路１７を経て、軟水供給管路１６ａ〜１６ｃに供給される。その後、軟水は、水噴霧装置１４ａ〜１４ｃのノズル１５ａ〜１５ｃから室外機１３ａ〜１３ｃの熱交換器に噴霧される。
【００１８】
熱交換器は噴霧された軟水の蒸発熱で一時的に放熱特性を回復し、冷房効率も回復するようになる。このとき、直射日光が室外機１３ａ〜１３ｃの熱交換器に当たらないようにした遮光ネット部材２２ａ〜２２ｃによる機能も作用して熱交換器の放熱特性の性能を確実に維持できるようになる。
【００１９】
上記のように噴霧する水に軟水を使用することにより、水噴霧装置のノズルの目詰まりを防止することができるとともに、熱交換器のフインにもスケール成分が付着するようなことが無くなる。
【００２０】
【発明の効果】
以上述べたように、この発明によれば、水噴霧用のノズルに目詰まりを発生させることもなく、屋上などでの作業も必要が無くなるので、作業の簡素化を図ることが出来る利点がある。
【図面の簡単な説明】
【図１】この発明の実施の形態を示す概念構成図。
【図２】実施の形態のシステム構成図。
【符号の説明】
１１…建物
１２ａ〜１２ｃ…室内機
１３ａ〜１３ｃ…室外機
１４ａ〜１４ｂ…水噴霧装置
１５ａ〜１５ｃ…ノズル
１６ａ〜１６ｃ…軟水供給管路
１８…温度センサ
１９…電磁弁
２０…軟水生成器
２２ａ〜２２ｃ…遮光ネット部材
【図１】
2004317064.tif 000003
【図２】
2004317064.tif 000004